(57)【特許請求の範囲】
【請求項１】
所定の基台に設置され、鉛直回転および水平回転可能な視準用望遠鏡を備えたトータルステーションの保護装置であって、
前記トータルステーションを覆い、前記視準用望遠鏡と一体に水平回転する第１の保護ケースと、
前記第１の保護ケースを覆い、前記トータルステーションに対して位置固定される第２の保護ケースと、
を備え、
前記第１の保護ケースは、前記視準用望遠鏡の鉛直回転時の視準軸の軌跡に沿って形成された第１の開口部を備え、
前記第２の保護ケースは、予め設定された視準方向における前記視準用望遠鏡の視準軸との交差点に形成された第２の開口部を備えているトータルステーションの保護装置。
【請求項２】
前記トータルステーションに対して前記第２の保護ケースを位置決めするための位置決め機構を備えている請求項１記載のトータルステーションの保護装置。
【請求項３】
前記第１の開口部は、所定の鉛直回転角度範囲に形成されたスリットで構成されている請求項１または２記載のトータルステーションの保護装置。
【請求項４】
前記第１の保護ケースは、前記トータルステーションの本体ケースの一部に固定されたブラケットを介して前記トータルステーションに固定されている請求項１から３の何れかに記載のトータルステーションの保護装置。
【請求項５】
前記第２の保護ケースは、前記基台と物理的に切り離された第２の基台に固定されている請求項１から４の何れかに記載のトータルステーションの保護装置。
【請求項６】
前記第２の保護ケースに固定用のベルトを支持するベルト支持部が形成されている請求項１から５の何れかに記載のトータルステーションの保護装置。
【請求項７】
前記第１の保護ケースまたは前記第２の保護ケースの内側に断熱層が形成されている請求項１から６の何れかに記載のトータルステーションの保護装置。
【請求項８】
請求項１から７の何れかに記載のトータルステーションの保護装置に用いられる前記第２の保護ケースへ前記第２の開口部を形成する開口部形成方法であって、
前記トータルステーションに対して前記第２の保護ケースを位置決め配置する位置決めステップと、
前記視準用望遠鏡を所定の視準方向に調整して測定光を出射し、前記第２の保護ケースに対する測定光の照射位置をマーキングするマーキングステップと、
前記マーキングステップでマーキングした位置を削孔する削孔ステップと、
を備えている開口部形成方法。
【請求項９】
仮のトータルステーションを用いて前記位置決めステップから前記削孔ステップを実行し、
前記削孔ステップで削孔された前記第２の保護ケースを、真のトータルステーションに対して位置決め配置する実装ステップと、
を備えている請求項８記載の開口部形成方法。
【発明の詳細な説明】
【技術分野】
【０００１】
本発明は、トータルステーションの保護装置および開口部形成方法に関する。
【背景技術】
【０００２】
地山、法面、野外構造物などに対する変位測量に際して、風雨などの天候の影響からトータルステーションを保護する必要がある。
【０００３】
特許文献１には、三脚に取り付けられる測量機の雨よけ・日よけ装置であって、中央に穴を有する円形板と、当該円形板の円周部と組み合わされ前記円形板に対して旋回可能なリング状部材と、当該リング状部材に立設される雨よけ・日よけ部材と、を備え、前記円形板が三脚上部の測量機取付座と測量機下部の取付部との間に配置された状態で測量機が三脚に固定されることで前記円形板が三脚に固定され、前記リング状部材と雨よけ・日よけ部材が前記円形板に組み付けられることで、前記雨よけ・日よけ部材が測量機の上方を覆うと共に、前記リング状部材と雨よけ・日よけ部材とが三脚に対して旋回可能なことを特徴とする測量機の雨よけ・日よけ装置が提案されている。
【先行技術文献】
【特許文献】
【０００４】
【特許文献１】特開２０１７−２０３７０２号公報
【発明の概要】
【発明が解決しようとする課題】
【０００５】
上述した雨よけ・日よけ装置は、測量者が測量機を用いて測量する際に、雨に濡れることで測量機が故障するのを回避し、或いは強い日差しによる測量機の温度上昇に起因して測定精度が低下するのを回避するために、測量機の上部に傘状の雨よけ・日よけ部材を取り付ける構成であり、継続的に無人で変位測量する場合に用いることが想定されておらず、横殴りの雨や、強風に対応できるような構成ではなかった。
【０００６】
風雨を避けるために、測量機の周囲を透明な樹脂板で囲繞すると、測定光が樹脂板で屈折して、正確な測量データが得られなくなる虞があり、また、測量の度に樹脂板を開閉するような機構を設けるとコストが嵩むことになる。
【０００７】
本発明の目的は、上述した課題に鑑み、安価に構成しながらも風雨などの天候の影響から保護することができるトータルステーションの保護装置および開口部形成方法を提供する点にある。
【課題を解決するための手段】
【０００８】
上述の目的を達成するため、本発明によるトータルステーションの保護装置の第一の特徴構成は、所定の基台に設置され、鉛直回転および水平回転可能な視準用望遠鏡を備えたトータルステーションの保護装置であって、前記トータルステーションを覆い、前記視準用望遠鏡と一体に水平回転する第１の保護ケースと、前記第１の保護ケースを覆い、前記トータルステーションに対して位置固定される第２の保護ケースと、を備え、前記第１の保護ケースは、前記視準用望遠鏡の鉛直回転時の視準軸の軌跡に沿って形成された第１の開口部を備え、前記第２の保護ケースは、予め設定された視準方向における前記視準用望遠鏡の視準軸との交差点に形成された第２の開口部を備えている点にある。
【０００９】
第１の保護ケースが視準用望遠鏡と一体に水平回転するため、視準用望遠鏡の鉛直回転に伴う視準軸の軌跡に沿って形成された第１の開口部以外に第１の保護ケースに開口を形成する必要がなく、雨滴が第１の保護ケースを介してトータルステーションに降り注ぐような確率を低く抑えることができる。さらに第１の保護ケースを第２の保護ケースが覆うように配されるので、より確実に雨滴の浸入を阻止することができる。そして、第２の保護ケースに形成された第２の開口部を介して測定光が測定対象に向けて出射されるように、予め設定された視準方向における視準用望遠鏡の視準軸との交差点に第２の開口部が形成されている。強風が吹き荒れるような天候でも第２の保護ケースによって強風が受け止められ、第１の保護ケースおよびトータルステーションへ影響を及ぼすことがない。
【００１０】
同第二の特徴構成は、上述した第一の特徴構成に加えて、前記トータルステーションに対して前記第２の保護ケースを位置決めするための位置決め機構を備えている点にある。
【００１１】
位置決め機構を介して第２の保護ケースがトータルステーションに対して位置決めされるので、例えばメンテナンスなどの際に第２の保護ケースを取り外すような場合でも、その後に適切な位置に精度よく取り付けることができる。
【００１２】
同第三の特徴構成は、上述した第一または第二の特徴構成に加えて、前記第１の開口部は、所定の鉛直回転角度範囲に形成されたスリットで構成されている点にある。
【００１３】
視準用望遠鏡の鉛直回転に伴って変化する視準軸が所定の鉛直回転角度範囲にあるときに第１の開口部であるスリットを介して測定光が出射される。
【００１４】
同第四の特徴構成は、上述した第一から第三の何れかの特徴構成に加えて、前記第１の保護ケースは、前記トータルステーションの本体ケースの一部に固定されたブラケットを介して前記トータルステーションに固定されている点にある。
【００１５】
視準用望遠鏡はトータルステーションの本体ケースと一体で水平回転するため、本体ケースの一部に固定されたブラケットを介して第１の保護ケースを固定することで、視準用望遠鏡の視準軸と第１の開口部とを正確に位置決め固定できる。
【００１６】
同第五の特徴構成は、上述した第一から第四の何れかの特徴構成に加えて、前記第２の保護ケースは、前記基台と物理的に切り離された第２の基台に固定されている点にある。
【００１７】
トータルステーションが取り付けられる基台の強度が十分でない場合であっても、基台と物理的に切り離された第２の基台に第２の保護ケースを固定すれば、トータルステーションに影響を及ぼすことなく、強風の影響を第２の基台で受け止めることができる。また、第２の基台のみであれば、容易に十分な強度を付与することができる。
【００１８】
同第六の特徴構成は、上述した第一から第五の何れかの特徴構成に加えて、前記第２の保護ケースに固定用のベルトを支持するベルト支持部が形成されている点にある。
【００１９】
第２の保護ケースに形成されたベルト支持部を介して第２の保護ケースを固定用のベルトでしっかりと固定することができる。
【００２０】
同第七の特徴構成は、上述した第一から第六の何れかの特徴構成に加えて、前記第１の保護ケースまたは前記第２の保護ケースの内側に断熱層が形成されている点にある。
【００２１】
夏の炎天下という酷熱の環境や冬の放射冷却という極寒の環境でも断熱層を形成することにより、トータルステーションへの温度による影響を極力回避することができるようになる。
【００２２】
本発明による開口部形成方法の第一の特徴構成は、上述した第一から第七の何れかの特徴構成を備えたトータルステーションの保護装置に用いられる前記第２の保護ケースへ前記第２の開口部を形成する開口部形成方法であって、前記トータルステーションに対して前記第２の保護ケースを位置決め配置する位置決めステップと、前記視準用望遠鏡を所定の視準方向に調整して測定光を出射し、前記第２の保護ケースに対する測定光の照射位置をマーキングするマーキングステップと、前記マーキングステップでマーキングした位置を削孔する削孔ステップと、を備えている点にある。
【００２３】
第２の保護ケースに備えた第２の開口部は、予め設定された視準方向における視準用望遠鏡の視準軸との交差点に形成される必要があり、位置がずれると測定光が測定対象に向けて出射できなくなる。また、地山、法面、野外構造物などの変位測量を行なう場合には、其々の測量環境に応じた位置に第２の開口部を形成する必要があり、第２の保護ケースを汎用品で構成することは困難である。そのような場合でも、位置決めステップで第２の保護ケースを位置決め配置した状態でマーキングステップを実行することにより、正確な位置に第２の開口部を形成することができる。
【００２４】
同第二の特徴構成は、上述した第一の特徴構成に加えて、仮のトータルステーションを用いて前記位置決めステップから前記削孔ステップを実行し、前記削孔ステップで削孔された前記第２の保護ケースを、真のトータルステーションに対して位置決め配置する実装ステップと、を備えている点にある。
【００２５】
変位測量の現場で位置決めステップ、マーキングステップおよび削孔ステップを実行しなくても、予め工場などに設置した仮のトータルステーションに対して位置決めステップ、マーキングステップおよび削孔ステップを実行して完成した第２の保護ケースを真のトータルステーションに対して位置決め配置することで、煩雑な現場作業から開放される。
【発明の効果】
【００２６】
以上説明した通り、本発明によれば、安価に構成しながらも風雨などの天候の影響から保護することができるトータルステーションの保護装置および開口部形成方法を提供することができるようになった。
【図面の簡単な説明】
【００２７】
【図１】（ａ）から（ｃ）はトータルステーションの説明図
【図２】変位測量の説明図
【図３】（ａ）はトータルステーションの保護装置の平面視の説明図、（ｂ）は図３（ａ）のＡ−Ａ線断面から視た説明図、（ｃ）は図３（ａ）のＢ−Ｂ線断面から視た説明図
【図４】トータルステーションを設置する基台の説明図
【図５】第１の保護ケースの説明図
【図６】基台に設置された第１の保護ケースの説明図
【図７】基台に設置された第２の保護ケースの説明図
【発明を実施するための形態】
【００２８】
以下に、本発明によるトータルステーションの保護装置および開口部形成方法の一態様を図面に基づいて説明する。
【００２９】
［トータルステーションの構成］
図１（ａ）から（ｃ）に示すように、トータルステーション１０は、三脚などの所定の基台に設置される台座１上で鉛直軸Ｐｖ周りに水平回転する水平回転部２と、水平回転部２に対して水平軸Ｐｈ周りに鉛直回転する鉛直回転部４を備えている。
【００３０】
水平回転部２は、操作表示部３が取り付けられた基部２Ａと、基部２Ａから正面視で上方に立上る左右一対の支持部２Ｂ，２Ｃと、一対の支持部２Ｂ，２Ｃの上部に左右一対のねじ６Ａにより固定されたハンドブリップ６を備えている。
【００３１】
鉛直回転部４には、左右一対の支持部２Ｂ，２Ｃに水平軸Ｐｈ周りに回転自在に支持された視準用望遠鏡５を備えている。水平回転部２および鉛直回転部４には其々電動モータ（図示せず）が組み込まれ、操作表示部３を介した操作入力に基づき、或いは外部接続されたコンピュータ制御部により電動モータが回転制御されることにより、視準用望遠鏡５が鉛直回転および水平回転して視準用望遠鏡５の視準軸Ｐｃが所望の方向に視準するように制御される。
【００３２】
鉛直回転部４には、照準器と望遠鏡が捉えた像を接眼部に導く光学系が収納されている。照準器と望遠鏡が捉えた像は、視準用望遠鏡５の基端側に設けられた接眼部を覗くことで視認できる。視準用望遠鏡５が捉えた像は、鉛直回転部４の内部に配置されたカメラによって撮像され、操作表示部３に表示される。
【００３３】
視準用望遠鏡５は、測距用のレーザー光と測距対象（例えばターゲットとなる専用の反射プリズム）を追尾および捕捉するための追尾光の光学系を兼ねている。測距光と追尾光の光軸は、望遠鏡の光軸と一致するように光学系が設計されている。
【００３４】
操作表示部には、液晶表示部３Ａおよびテンキーなどの操作ボタン３Ｂが配され、トータルステーション１０に関する各種の操作やデータの入力および入力の確認が可能になる。液晶表示部３Ａには、トータルステーション１０の操作に必要な各種の情報や測量データ等が表示される。トータルステーション１０には上述した各部を制御し、測定対象までの距離や方向を算出する制御部を備えている。
【００３５】
水平回転部２および鉛直回転部３には回転軸Ｐｖ，Ｐｈ周りの回転角度を検出するセンサが設けられ、制御部はセンサの出力に基づいて視準方向を算出する。また、制御部は視準用望遠鏡５から出射されたレーザー光と、反射プリズムからの反射光に基づいてトータルステーション１０から反射プリズムまでの距離を算出する。距離の算出方法として測定光と反射光の位相差に基づいて距離を算出する位相差方式や測定光と反射光の時間差に基づいて距離を算出するＴＯＦ方式などが採用される。
【００３６】
制御部とコンピュータなどの外部機器とを接続するためのインタフェース用のコネクタが基部２Ａに設けられ、制御部とコンピュータなどの外部機器とを無線接続するための無線インタフェースが備わっている。
【００３７】
［変位測量］
地山、法面、野外構造物などの変異の有無を定期的に計測して、重大な事故を招くような変位がみられると事前に対策を施すべく、トータルステーション１０を野外に設置して長期にわたって観測する変位測量が行なわれる。
【００３８】
図２に示す例では、遊園地のジェットコースターなどの遊具の支柱８や梁９などに対する変位測量を行なう際に、上述のトータルステーション１０を予め設定された所定の位置に長期にわたり設置して、夜間など予め設定された時刻に定期的に測量して異常の有無が確認される。測量対象位置には予めターゲットとなる専用の反射プリズム７が取り付けられている。
【００３９】
トータルステーション１０に備えた無線インタフェースを介してコンピュータが接続され、測量データはＷｉ−Ｆｉなどを介してコンピュータから遠隔地のサーバに送信されるように構成されている。
【００４０】
そして、このような変位測量の際にトータルステーション１０が強い日差しや風雨による影響を受けて故障が生じることが無いように保護装置が設けられている。
【００４１】
［トータルステーションの保護装置］
図３（ａ）から（ｃ）に示すように、トータルステーションの保護装置１００は、所定の基台４０に設置されたトータルステーション１０を覆い、視準用望遠鏡５と一体に水平回転する第１の保護ケース２０と、第１の保護ケース２０を覆い、トータルステーション１０に対して位置固定される第２の保護ケース３０とを備えている。第１の保護ケース２０および第２の保護ケース３０は、半透明のアクリル樹脂で形成されている。
【００４２】
第１の保護ケース２０は、視準用望遠鏡５の鉛直回転時の視準軸Ｐｃの軌跡に沿って形成された第１の開口部２２を備え、第２の保護ケース３０は、予め設定された視準方向における視準用望遠鏡５の視準軸Ｐｃとの交差点に形成された第２の開口部３２を備えている。
【００４３】
第１の開口部２２は、所定の鉛直回転角度範囲に形成された幅が５〜１０ｍｍ程度のスリットＳＬで構成され、視準用望遠鏡５の鉛直回転に伴って変化する視準軸Ｐｃが所定の鉛直回転角度範囲にあるときに第１の開口部２２であるスリットＳＬを介して測定光が出射される。
【００４４】
第１の保護ケース２０は、平面視円形で天井部が丸いドーム状に形成され、トータルステーション１０の本体ケースである水平回転部２の一部、本実施形態ではハンドグリップ６に固定された一対のブラケット２４を介してトータルステーション１０にねじ止めにより固定されている。
【００４５】
視準用望遠鏡５はトータルステーション１０の本体ケースである水平回転部２と一体で鉛直軸Ｐｖ周りに水平回転するため、本体ケースの一部に固定されたブラケット２４を介して第１の保護ケース２０を固定することで、視準用望遠鏡５の視準軸Ｐｃが第１の開口部２２（ＳＬ）を通過するように正確に位置決め固定できる。
【００４６】
所定の鉛直回転角度範囲の具体的な値は、測量対象に応じて適宜設定される値であり、特に限定されるものではない。また、第１の開口部２２はスリットＳＬである必要はなく、予め設定された複数の視準方向における視準用望遠鏡５の視準軸Ｐｃとの交差点に形成された複数の開口部２２であってもよい。開口部２２は径が５〜１０ｍｍ程度の円形に形成されていればよい。
【００４７】
第２の保護ケース３０は、底部が開口した直方体または立方体形状に形成され、各側面には複数の第２の開口部３２が形成されている。第２の開口部３２も径が５〜１０ｍｍの円形に形成され、測量対象に応じて適宜設定される数だけ形成されている。開口部２２，３２の径は、雨滴の浸入を極力阻止しつつ測定光および反射光が確実に開口部２２，３２を透過するようなサイズであればよい。
【００４８】
第１の保護ケース２０が視準用望遠鏡５と一体に水平回転するため、視準用望遠鏡の水平軸Ｐｈ周りの鉛直回転に伴う視準軸Ｐｃの軌跡に沿って形成された第１の開口部２２以外に第１の保護ケース２０に開口部を形成する必要がなく、雨滴が第１の保護ケース２０を介してトータルステーション１０に降り注ぐような確率を低く抑えることができる。なお、スリットＳＬの外側に雨滴が内部に降り込まないように止める庇を形成することも可能である。
【００４９】
さらに第１の保護ケース２０を第２の保護ケース３０が覆うように配されるので、より確実に雨滴の浸入を阻止することができる。そして、第２の保護ケース３０に形成された第２の開口部３２を介して測定光が測定対象に向けて出射されるように、第２の開口部３２は、予め設定された視準方向における視準用望遠鏡５の視準軸Ｐｃとの交差点に形成されている。
【００５０】
図４には、直方体形状の基台４０にトータルステーション１０が位置決め固定される様子が示されている。説明の便宜のため、基台４０の各面が透明であるように描かれているが、実際には鋼板などで構成されている。基台４０の上面中央部に円柱形状の凸部４２が設けられ、トータルステーション１０の台座１の底面に形成された嵌合孔に凸部４２が係合するようにして位置決め固定される。実際には凸部４２の周面に形成された雄ねじがトータルステーション１０の台座１の底面に形成された嵌合孔に形成された雌ねじと螺合することにより、固定される。また、基台４０の上面には、第２の保護ケース３０を位置決めするための凸条マーカ４４が設けられている。
【００５１】
図５（ａ），（ｂ）に示すように、ドーム形状の第１の保護ケース２０が、トータルステーション１０のハンドグリップ６に立設したブラケット２４を介してねじ止め固定される。その結果、図６に示すように、基台４０の凸部４２に位置決め固定されたトータルステーション１０に対して、ブラケット２４を介して第１の保護ケース２０が位置決め固定される。
【００５２】
さらに、図７に示すように、基台４０の上面に設けられた凸条マーカ４４と位置合わせして第２の保護ケース３０が配置され、第２の保護ケース３０に備えたベルト支持部３４および基台４０に備えた係止部４６にベルト３５で締付け固定される。そのため、強風が吹き荒れるような天候でも第２の保護ケース３０によって強風が受け止められ、第１の保護ケース２０およびトータルステーション１０へ影響を及ぼすことがない。
【００５３】
基台４０に備えた凸部４２によりトータルステーション１０が位置決めされ、凸部４２を基準に設定された凸条マーカ４４により第２の保護ケース３０が位置決めされる結果、トータルステーション１０と第１の保護ケース２０と第２の保護ケース３０とが位置決めされる。即ち、凸部４２や凸条マーカ４４が位置決め機構として機能する。
【００５４】
上述した位置決め機構を介して第２の保護ケース３０がトータルステーション１０に対して位置決めされるので、例えばメンテナンスなどの際に第２の保護ケース３０を取り外すような場合でも、その後に適切な位置に精度よく取り付けることができる。なお、位置決め機構の具体的な構造は上述した凸部４２や凸条マーカ４４に限るものではなく、トータルステーション１０と第１の保護ケース２０と第２の保護ケース３０とが位置決め可能な構成であれば、どのような構造であってもよい。
【００５５】
第２の保護ケース３０は、基台４０と物理的に切り離された第２の基台に固定されていてもよい。トータルステーション１０が取り付けられる基台４０の強度が十分でない場合であっても、基台４０と物理的に切り離された第２の基台に第２の保護ケース３０を固定すれば、トータルステーション１０に影響を及ぼすことなく、強風の影響を第２の基台で受け止めることができる。また、第２の基台のみであれば、容易に十分な強度を付与することができる。基台４０及び第２の基台は、例えば金属製の板状体やアングル材などを用いて構成でき、アンカー部材を介してそれらをコンクリート製の構造体に固定することができる。
【００５６】
第１の保護ケース２０および／または第２の保護ケース４０の内側に断熱層が形成されていることが好ましく、夏の炎天下という酷熱の環境や冬の放射冷却という極寒の環境でも断熱層を形成することにより、トータルステーションへの温度による影響を極力回避することができるようになる。また、第２の保護ケース４０の内供空気を外部と循環するファンを備えていてもよい。
【００５７】
第１の保護ケース２０は、ハンドグリップ６以外の水平回転部２の一部に対して位置決め固定されていればよい。第２の保護ケース３０につば部を形成して、つば部に設けた固定用の孔を介して基台４０にねじ止め固定されるように構成してもよい。
【００５８】
第１の保護ケース２０および第２の保護ケース３０はアクリル樹脂製に限るものではなく、例えばＦＲＰなど強度の高い樹脂で構成してもよい。
【００５９】
［開口部形成方法］
上述した第２の保護ケース３０の開口部３２は、以下のようにして形成される。トータルステーション１０に対して第２の保護ケース３０を位置決め配置する位置決めステップと、視準用望遠鏡５を所定の視準方向に調整して測定光を出射し、第２の保護ケース３０に対する測定光の照射位置をマーキングするマーキングステップと、マーキングステップでマーキングした位置をドリルなどで削孔する削孔ステップとを含む。
【００６０】
第２の保護ケース３０に備えた第２の開口部３２は、予め設定された視準方向における視準用望遠鏡５の視準軸Ｐｃとの交差点に形成される必要があり、位置がずれると測定光が測定対象に向けて出射できなくなる。
【００６１】
また、地山、法面、野外構造物などの変位測量を行なう場合には、其々の測量環境に応じた位置に第２の開口部３２を形成する必要があり、第２の保護ケース３０を汎用品で構成することは困難である。そのような場合でも、位置決めステップで第２の保護ケース３０を位置決め配置した状態でマーキングステップを実行することにより、正確な位置に第２の開口部３２を形成することができる。
【００６２】
また、現場に設置されるトータルステーションＴＳに代えて、仮のトータルステーションを用いて位置決めステップから削孔ステップを実行し、削孔ステップで削孔された第２の保護ケース３０を、現場に設置された真のトータルステーションＴＳに対して位置決め配置する実装ステップと、を備えてもよい。
【００６３】
変位測量の現場で位置決めステップ、マーキングステップおよび削孔ステップを実行しなくても、予め工場などに設置した仮のトータルステーションに対して位置決めステップ、マーキングステップおよび削孔ステップを実行して完成した第２の保護ケースを真のトータルステーションに対して位置決め配置することで、煩雑な現場作業から開放される。
【００６４】
上述した実施形態は何れも本発明の一態様に過ぎず、該記載により本発明の技術的範囲が限定されるものではなく、本発明の作用効果を奏する範囲で各部の具体的な構成は適宜変更設計することができることはいうまでもない。
【符号の説明】
【００６５】
１０：トータルステーション
１：台座
Ｐｖ：鉛直軸
２：水平回転部
Ｐｈ：水平軸
４：鉛直回転部
５：視準用望遠鏡
６：ハンドブリップ
Ｐｃ：視準軸
２０：第１の保護ケース
２２：第１の開口部（スリット）
３０：第２の保護ケース
３２：第２の開口部
４０：基台
１００：トータルステーションの保護装置
【要約】
【課題】安価に構成しながらも風雨などの天候の影響から保護することができるトータルステーションの保護装置を提供する。
【解決手段】所定の基台４０に設置され、鉛直回転および水平回転可能な視準用望遠鏡５を備えたトータルステーション１０の保護装置であって、前記トータルステーションを覆い、前記視準用望遠鏡と一体に水平回転する第１の保護ケース２０と、前記第１の保護ケースを覆い、前記トータルステーションに対して位置固定される第２の保護ケース３０と、を備え、前記第１の保護ケースは、前記視準用望遠鏡の鉛直回転時の視準軸の軌跡に沿って形成された第１の開口部２２を備え、前記第２の保護ケースは、予め設定された視準方向における前記視準用望遠鏡の視準軸との交差点に形成された第２の開口部３２を備えている。
【選択図】図３【図１】
0006966811.tif 000002
【図２】
0006966811.tif 000003
【図３】
0006966811.tif 000004
【図４】
0006966811.tif 000005
【図５】
0006966811.tif 000006
【図６】
0006966811.tif 000007
【図７】
0006966811.tif 000008